(57)【要約】      （修正有）【課題】空気圧を利用して作動させることで伸びや劣化等の問題を回避でき、しかも空気圧を使用したことによる新規な操作感を使用者に与えることができる空気作動玩具を提供する。【解決手段】空気圧発生装置１０は、空気を貯留するタンク１２と、タンク１２を外部と導通させる棒状のパイプ１５と、作動体３０を係止するための係合部１８ｂと、係合部１８ｂの係止を解除するための操作部１８ｃと、を備える。空気圧発生装置１０に装着される作動体３０の外筒部３１は、パイプ１５の先端開口部を塞ぐキャップ部３１ａを備える。【選択図】図２
0003204578.tif 000002
【実用新案登録請求の範囲】
【請求項１】
空気圧発生装置と、前記空気圧発生装置に装着される作動体と、を備えた空気作動玩具であって、
前記空気圧発生装置は、空気を貯留するタンクと、前記タンクに空気を送り込むポンプと、前記タンクを外部と導通させる棒状のパイプと、前記作動体を係止するための係合部と、前記係合部の係止を解除するための操作部と、を備え、
前記作動体は、前記空気圧発生装置に装着したときに前記パイプが挿入される外筒部と、前記空気圧発生装置に装着したときに前記係合部に係合する被係合部と、を備え、
前記外筒部は、前記空気圧発生装置に装着したときに前記パイプの先端開口部を塞ぐキャップ部を備えることを特徴とする、空気作動玩具。
【請求項２】
前記空気圧発生装置は、装置本体と、前記装置本体に揺動可能に設けられたトリガ部材と、を備え、
前記トリガ部材に、前記操作部と前記係合部とが一体的に形成されていることを特徴とする、請求項１記載の空気作動玩具。
【請求項３】
前記作動体は、前記外筒部を摺動可能に支持するガイド部と、前記外筒部の直進運動を回転運動に変換する運動変換部と、を備えることを特徴とする、請求項１又は２記載の空気作動玩具。
【考案の詳細な説明】
【技術分野】
【０００１】
この考案は、空気の圧力を利用して作動させることができる空気作動玩具に関する。
【背景技術】
【０００２】
従来、ゴムやバネなどの復元力を利用して模型飛行機を飛ばすことが行われている。また、空気の圧力を利用して弾を発射する玩具などが知られている（例えば特許文献１）。
【先行技術文献】
【特許文献】
【０００３】
【特許文献１】特許第５１６７４３４号公報
【考案の概要】
【考案が解決しようとする課題】
【０００４】
しかしながら、ゴムやバネを使用して模型飛行機を飛ばす場合、伸びや劣化等の問題が生じやすいという問題があった。
【０００５】
この点、空気圧を使用すれば伸びや劣化等の問題は生じにくいが、特許文献１に記載されているような玩具では、空気圧を使用していることが使用者には意識されず、空気圧を使用したことによる新規な操作感を与えることはできなかった。
【０００６】
そこで本考案は、空気圧を利用して作動させることで伸びや劣化等の問題を回避でき、しかも空気圧を使用したことによる新規な操作感を使用者に与えることができる空気作動玩具を提供することを課題とする。
【課題を解決するための手段】
【０００７】
本考案は、上記した課題を解決するためになされたものであり、以下を特徴とする。
【０００８】
請求項１記載の考案は、空気圧発生装置と、前記空気圧発生装置に装着される作動体と、を備えた空気作動玩具であって、前記空気圧発生装置は、空気を貯留するタンクと、前記タンクに空気を送り込むポンプと、前記タンクを外部と導通させる棒状のパイプと、前記作動体を係止するための係合部と、前記係合部の係止を解除するための操作部と、を備え、前記作動体は、前記空気圧発生装置に装着したときに前記パイプが挿入される外筒部と、前記空気圧発生装置に装着したときに前記係合部に係合する被係合部と、を備え、前記筒部は、前記空気圧発生装置に装着したときに前記パイプの先端開口部を塞ぐキャップ部を備えることを特徴とする。
【０００９】
請求項２に記載の考案は、前記空気圧発生装置は、装置本体と、前記装置本体に揺動可能に設けられたトリガ部材と、を備え、前記トリガ部材に、前記操作部と前記係合部とが一体的に形成されていることを特徴とする。
【００１０】
請求項３に記載の考案は、前記作動体は、前記外筒部を摺動可能に支持するガイド部と、前記外筒部の直進運動を回転運動に変換する運動変換部と、を備えることを特徴とする。
【考案の効果】
【００１１】
請求項１に記載の考案は上記の通りであり、空気圧発生装置は、空気を貯留するタンクと、タンクを外部と導通させる棒状のパイプと、を備え、作動体の外筒部は、空気圧発生装置に装着したときにパイプの先端開口部を塞ぐキャップ部を備える。よって、作動体を空気圧発生装置に装着すると、キャップ部によってタンク内部が閉塞された状態となる。この状態でポンプによってタンクに空気を送り込めば、タンク内の空気圧が高まる。また、空気圧発生装置は、作動体を係止するための係合部と、係合部の係止を解除するための操作部と、を備える。よって、タンク内の空気圧を高めてキャップ部で空気圧を受けた状態で、操作部を操作して係合部の係止を解除すれば、タンク内の空気圧によって外筒部が勢いよく押し出される。このような動きにより、例えば外筒部を模型飛行機の胴体とすれば、模型飛行機を発射して飛ばすことができる。しかも、外筒部にパイプを挿入しているので、パイプによって外筒部の移動が直線的に案内される。よって、まっすぐに外筒部を移動させることができる。例えば模型飛行機を発射する場合には、模型飛行機の発射方向を狙い易くすることができる。
【００１２】
また、請求項２に記載の考案は上記の通りであり、トリガ部材に操作部と係合部とが一体的に形成されている。このような構成によれば、銃のような形態で空気作動玩具を作動させることができ、操作性を向上させることができる。例えば、銃で狙うように模型飛行機を発射させることも可能となるので、狙いを付けて発射し易くすることができる。
【００１３】
また、請求項３に記載の考案は上記の通りであり、作動体は外筒部の直進運動を回転運動に変換する運動変換部を備える。このような構成によれば、単に何かを発射するような動きだけではなく、空気圧によって何かを回転させることも可能となる。
【図面の簡単な説明】
【００１４】
【図１】空気作動玩具の外観図であって、（ａ）第１の作動体を空気圧発生装置に装着した状態を示す図、（ｂ）第１の作動体が空気圧発生装置から発射された状態を示す図である。
【図２】空気作動玩具の断面図であって、第１の作動体を空気圧発生装置に装着した状態を示す図である。
【図３】空気作動玩具の断面図であって、第１の作動体が空気圧発生装置から発射された状態を示す図である。
【図４】空気作動玩具の外観図であって、翼部を取り付けた第１の作動体が空気圧発生装置から発射された状態を示す図である。
【図５】空気作動玩具の外観図であって、（ａ）第２の作動体を空気圧発生装置に装着した状態を示す図、（ｂ）第２の作動体が空気圧発生装置から発射された状態を示す図である。
【図６】空気作動玩具の断面図であって、第２の作動体を空気圧発生装置に装着した状態を示す図である。
【図７】空気作動玩具の断面図であって、第２の作動体が空気圧発生装置から発射された状態を示す図である。
【図８】第３の作動体を空気圧発生装置に装着した空気作動玩具の外観図であって、（ａ）円盤部材の発射前の状態を示す図、（ｂ）円盤部材の発射後の状態を示す図である。
【図９】第３の作動体を空気圧発生装置に装着した空気作動玩具の分解図であって、（ａ）円盤部材の発射前の状態を示す図、（ｂ）円盤部材の発射後の状態を示す図である。
【図１０】第３の作動体が内蔵する運動変換部の構造を示す一部拡大分解図である。
【考案を実施するための形態】
【００１５】
本考案の実施形態について、図を参照しつつ説明する。
【００１６】
本実施形態に係る空気作動玩具は、空気圧発生装置１０と、空気圧発生装置１０に装着される作動体と、を備える。空気圧発生装置１０には、複数の異なる作動体を取り付け可能である。本実施形態においては３種類の作動体を取り付け可能であり、これらの３種類の作動体のどれを使用するかによって異なる遊び方ができるようになっている。３種類の作動体とは、図１〜４に示す第１の作動体３０と、図５〜７に示す第２の作動体４０と、図８〜１０に示す第３の作動体５０と、である。
【００１７】
空気圧発生装置１０は、圧縮した空気の圧力によって作動体を作動させるための装置である。この空気圧発生装置１０は、装置本体１１と、装置本体１１に揺動可能に設けられたトリガ部材１８と、後述するパイプ１５に取り付けて使用可能な延長装置２０と、を備える。なお、延長装置２０は、装置本体１１に対して着脱可能となっており、本実施形態においては第２の作動体４０を使用する場合にのみ装置本体１１に取り付けて使用する。言い換えると、第１の作動体３０及び第３の作動体５０を使用する場合には、延長装置２０は使用しない。
【００１８】
装置本体１１は、図２等に示すように、空気を貯留するタンク１２と、使用者が把持可能に設けられたグリップ部１３と、タンク１２に空気を送り込むポンプ１４と、タンク１２を外部に導通させる棒状のパイプ１５と、を備える。
【００１９】
タンク１２は、空気を貯留するための空気室を形成している。このタンク１２は、下部においてポンプ１４と接続している。また、このタンク１２は、前部においてパイプ１５と導通している。なお、タンク１２とポンプ１４との接続部には弁体が設けられており、ポンプ１４からタンク１２の方向へは空気が流れるが、タンク１２からポンプ１４の方向へは空気が流れないように形成されている。このため、タンク１２内の空気は、パイプ１５以外の経路からは外部に漏れないように形成されている。
【００２０】
グリップ部１３は、タンク１２に対して略直交するように設けられており、使用者が片手で把持可能な形状となっている。
【００２１】
ポンプ１４は、ポンプ本体１４ａと、ポンプ本体１４ａに対して往復動可能に設けられたポンプ操作部１４ｂと、を備えた手動式のポンプ１４である。このポンプ１４は、ポンプ本体１４ａの軸方向にポンプ操作部１４ｂを往復動させることでタンク１２内に空気を送り込む。このポンプ１４は、ポンプ本体１４ａがグリップ部１３の内部に配置されている。また、ポンプ操作部１４ｂは、グリップ部１３の端部から操作可能に突出している。この突出したポンプ操作部１４ｂを引き操作すると、ポンプ本体１４ａ内に外部から空気が引き込まれ、ポンプ操作部１４ｂを押し操作すると、ポンプ本体１４ａ内に引き込まれた空気がタンク１２内へと送り込まれるようになっている。このように、ポンプ１４をグリップ部１３に内蔵させることで、玩具を小型化するとともに、グリップ部１３を持ってポンプ操作部１４ｂを操作できるようにして操作性を向上させている。
【００２２】
パイプ１５は、ポンプ１４の前方に突出した筒状部である。このパイプ１５の先端には、先端開口部１５ａが形成されており、この先端開口部１５ａを介してタンク１２の内部が外気と連通するように形成されている。言い換えると、この先端開口部１５ａが塞がれると、タンク１２の内部が閉塞空間となるように形成されている。
【００２３】
トリガ部材１８は、装置本体１１に揺動可能に取り付けられる部材であり、図２及び図３に示すように、装置本体１１に設けられた揺動軸１８ａを中心に揺動可能となっている。トリガ部材１８は、揺動軸１８ａを挟んだ一方の端部に係合部１８ｂが形成され、他方の端部に操作部１８ｃが形成されている。
【００２４】
係合部１８ｂは、後述する作動体を係止するためのものであり、具体的には図２及び図３に示すような爪状部である。この係合部１８ｂによって作動体を係止することで、作動体が作動しないように制止することができる。
【００２５】
操作部１８ｃは、トリガ部材１８を操作するための部位である。この操作部１８ｃは、上記したグリップ部１３を把持したときに人差し指で操作可能な位置に設けられている。
【００２６】
上記したトリガ部材１８は、図示しない付勢手段により常に付勢されている。この付勢力により、係合部１８ｂは後述する被係合部に係合する方向へと常に付勢され、操作部１８ｃは前方へと常に付勢されている。この付勢手段の付勢力に抗して操作部１８ｃを引き操作すると、トリガ部材１８が揺動軸１８ａを中心に揺動し、係合部１８ｂが図３に示すように退避方向へと移動する。係合部１８ｂが退避方向へと移動すると、係合部１８ｂと被係合部との係合が解除されるようになっている。
延長装置２０は、図５に示すように、取付部２１と、ホース２２と、延長装置本体２３と、を備える。
【００２７】
取付部２１は、パイプ１５に取り付けられる筒状の部材である。この取付部２１をパイプ１５に取り付けることで、タンク１２内の空気を後述する延長装置本体２３に導入することができる。
【００２８】
ホース２２は、取付部２１と延長装置本体２３とを接続するものである。このホース２２を通過して、タンク１２内の空気が後述する延長装置本体２３に導入される。
【００２９】
延長装置本体２３は、第２の作動体４０を取り付け可能に形成されたものであり、ホース２２を介して導入されたタンク１２内の空気を使用して、第２の作動体４０を作動させるためのものである。この延長装置本体２３は、図６及び図７に示すように、ケース２４と、ケース２４から操作可能に突出した押しボタン式の操作部２５と、ケース２４から水平方向に突出したパイプ２６と、操作部２５に連動して動く伝達機構２７と、伝達機構２７によって作動する揺動部材２８と、を備える。
【００３０】
パイプ２６は、ケース２４の前方に突出した筒状部である。このパイプ２６の先端には、先端開口部２６ａが形成されており、この先端開口部２６ａを介してタンク１２の内部が外気と連通するように形成されている。このため、この延長装置本体２３を装置本体１１に取り付けたときには、この先端開口部２６ａが塞がれると、タンク１２の内部が閉塞空間となるように形成されている。
【００３１】
揺動部材２８は、揺動軸２８ａを介して伝達機構２７に接続されており、操作部２５が押し操作されたときに揺動するように形成されている。この揺動部材２８の端部には、第２の作動体４０を係止するための係合部２８ｂが設けられている。この係合部２８ｂは、図６及び図７に示すような爪状部である。この係合部２８ｂによって第２の作動体４０を係止することで、第２の作動体４０が作動しないように制止することができる。
【００３２】
上記した操作部２５を押し操作すると、揺動部材２８が揺動軸２８ａを中心に揺動し、係合部２８ｂが図６に示すように退避方向へと移動する。係合部２８ｂが退避方向へと移動すると、係合部２８ｂによる第２の作動体４０の係止が解除され、第２の作動体４０の作動が可能となる。
【００３３】
なお、上記した操作部２５及び揺動部材２８は、図示しない付勢部材により常に付勢されており、操作部２５は突出方向へ、揺動部材２８は第２の作動体４０を係止する方向へと、付勢されている。
【００３４】
第１の作動体３０は、ロケットのように発射されるものであり、図１〜３に示すように、外筒部３１と、フランジ部３２と、先端部材３３と、を備える。なお、図４に示すように、外筒部３１の外周に翼部３４を設けて、飛行機のような態様としてもよい。
【００３５】
外筒部３１は、図１（ａ）及び図２に示すように、空気圧発生装置１０に装着したときに、鞘管状にパイプ１５が挿入される筒状の部位である。この外筒部３１の内径は、パイプ１５の外径よりもやや大きく形成されており、パイプ１５に対して外筒部３１をスムーズに装着できるように形成されている。
【００３６】
この外筒部３１は、第１の作動体３０を空気圧発生装置１０に装着したときに、パイプ１５の先端開口部１５ａを塞ぐキャップ部３１ａを備えている。このキャップ部３１ａは、外筒部３１の底面を構成しており、この底面にパイプ１５の先端開口部１５ａを当接させることで、パイプ１５の先端開口部１５ａを塞いでいる。なお、パイプ１５の先端開口部１５ａに当接する部位には、例えばゴムや樹脂で形成された弾性部材を設けてもよい。また、この弾性部材は、第１の作動体３０を空気圧発生装置１０に装着したときに、先端開口部１５ａに押し付けられて弾性変形するようにしてもよい。このように先端開口部１５ａに弾性部材を押し付けて先端開口部１５ａを塞ぐようにすれば、気密性を高めてタンク１２内の空気が外部に漏れることを防止できる。
【００３７】
フランジ部３２は、外筒部３１の後端部外周に形成されており、第１の作動体３０を空気圧発生装置１０に装着したときに係合部１８ｂに係合する被係合部として機能する。
【００３８】
先端部材３３は、外筒部３１の先端側に取り付けられた弾性部材であり、発射した第１の作動体３０が何かに衝突したときの緩衝材として機能するものである。
【００３９】
この第１の作動体３０は、図１〜３に示すように、装置本体１１に装着して使用される。第１の作動体３０を装置本体１１に装着すると、図２に示すように、係合部１８ｂがフランジ部３２に係合し、第１の作動体３０が外れないように装置本体１１に係止される。また、パイプ１５の先端開口部１５ａがキャップ部３１ａによって塞がれるので、タンク１２が閉塞した空間となる。この状態でポンプ１４を使用してタンク１２に空気を送り込むと、タンク１２内の空気圧が高まり、キャップ部３１ａが空気圧によって前方に付勢された状態となる。その後、トリガ部材１８を引き操作すると、図３に示すように、係合部１８ｂによる係止が解除され、空気圧によって第１の作動体３０が前方（先端開口部１５ａの開口方向）へと発射される。このとき、第１の作動体３０はパイプ１５に案内されて直線的に発射される。
【００４０】
第２の作動体４０は、走行玩具の態様で発射されるものであり、図５〜７に示すように、車体４１と、車体４１に対して回転自在に取り付けられた車輪４２と、車体４１に覆われた外筒部４３と、外筒部４３の外周に形成されたフランジ部４４と、を備える。
【００４１】
外筒部４３は、図６に示すように、延長装置２０に装着したときに、鞘管状にパイプ２６が挿入される筒状の部位である。この外筒部４３の内径は、パイプ２６の外径よりもやや大きく形成されており、パイプ２６に対して外筒部４３がスムーズに装着できるように形成されている。
【００４２】
この外筒部４３は、第２の作動体４０を延長装置２０に装着したときに、パイプ２６の先端開口部２６ａを塞ぐキャップ部４３ａを備えている。このキャップ部４３ａは、外筒部４３の底面を構成しており、この底面にパイプ２６の先端開口部２６ａを当接させることで、パイプ２６の先端開口部２６ａを塞いでいる。なお、パイプ２６の先端開口部２６ａに当接する部位には、例えばゴムや樹脂で形成された弾性部材を設けてもよい。また、この弾性部材は、第２の作動体４０を延長装置２０に装着したときに、先端開口部２６ａに押し付けられて弾性変形するようにしてもよい。このように先端開口部２６ａに弾性部材を押し付けて先端開口部２６ａを塞ぐようにすれば、気密性を高めてタンク１２内の空気が外部に漏れることを防止できる。
【００４３】
フランジ部４４は、外筒部４３の後端部外周に形成されており、第２の作動体４０を延長装置２０に装着したときに係合部２８ｂに係合する被係合部として機能する。
【００４４】
この第２の作動体４０は、図５〜７に示すように、延長装置２０に装着して使用される。第２の作動体４０を延長装置２０に装着すると、図６に示すように、係合部２８ｂがフランジ部４４に係合し、第２の作動体４０が外れないように延長装置２０に係止される。また、パイプ２６の先端開口部２６ａがキャップ部４３ａによって塞がれるので、タンク１２が閉塞した空間となる。この状態でポンプ１４を使用してタンク１２に空気を送り込むと、タンク１２内の空気圧が高まり、キャップ部４３ａが空気圧で付勢された状態となる。延長装置本体２３を地面に設置して操作部２５を押し操作すると、図７に示すように、係合部２８ｂによる係止が解除され、空気圧によって第２の作動体４０が前方（先端開口部２６ａの開口方向）へと発射される。発射された第２の作動体４０は、車輪４２によって地面の上を走行する。このとき、第２の作動体４０はパイプ１５に案内されているので、直線的に前方へと発射される。
【００４５】
第３の作動体５０は、作動することで円盤部材５８を発射するように形成されたものであり、図８〜１０に示すように、カバー体５１と、カバー体５１に収容された外筒部５２と、外筒部５２の外周に形成されたフランジ部５３と、外筒部５２の直進運動を回転運動に変換する運動変換部５４と、を備える。
【００４６】
カバー体５１は、上カバー５１ａと下カバー５１ｂとを上下に組み合わせて構成されており、図９に示すように、外筒部５２や運動変換部５４を内蔵している。このカバー体５１は、図９（ｂ）に示すように、外筒部４３が前方に摺動して伸びきった状態でも外筒部４３が飛び出さない長さで形成されており、外筒部５２を摺動可能に支持している。このカバー体５１は、揺動自在なロック部材５１ｃを備えている。このロック部材５１ｃは、第３の作動体５０を装置本体１１に固定するために使用される。また、このカバー体５１の側部には、図８に示すように、後述する外筒部５２の突起５２ｃを貫通させるスライド溝５１ｄが形成されている。このスライド溝５１ｄは、外筒部４３の摺動方向に沿って形成されている。
【００４７】
外筒部５２は、図９に示すように、空気圧発生装置１０に装着したときに、鞘管状にパイプ１５が挿入される筒状の部位である。この外筒部５２の内径は、パイプ１５の外径よりもやや大きく形成されており、パイプ１５に沿って外筒部５２がスムーズに摺動できるように形成されている。
【００４８】
この外筒部５２は、第３の作動体５０を空気圧発生装置１０に装着したときに、パイプ１５の先端開口部１５ａを塞ぐキャップ部５２ａを備えている。このキャップ部５２ａは、外筒部５２の底面を構成しており、この底面にパイプ１５の先端開口部１５ａを当接させることで、パイプ１５の先端開口部１５ａを塞いでいる。なお、パイプ１５の先端開口部１５ａに当接する部位には、例えばゴムや樹脂で形成された弾性部材を設けてもよい。また、この弾性部材は、第３の作動体５０を空気圧発生装置１０に装着したときに、先端開口部１５ａに押し付けられて弾性変形するようにしてもよい。このように先端開口部１５ａに弾性部材を押し付けて先端開口部１５ａを塞ぐようにすれば、気密性を高めてタンク１２内の空気が外部に漏れることを防止できる。
【００４９】
また、この外筒部５２の側面には、軸方向にラックギア５２ｂが延設されている。このラックギア５２ｂは、後述するピニオンギア５４ａに噛合するものである。
【００５０】
また、この外筒部５２の側面には、突起５２ｃが突出形成されている。この突起５２ｃは、カバー体５１のスライド溝５１ｄに挿入される。スライド溝５１ｄに挿入された突起５２ｃは、図８に示すように、カバー体５１の側面において操作可能に露出する。この突起５２ｃを使用者が手で持って引くことで、外筒部５２を初期位置に移動させることができるようになっている。
【００５１】
フランジ部５３は、外筒部５２の後端部外周に形成されており、第３の作動体５０を空気圧発生装置１０に装着したときに係合部１８ｂに係合する被係合部として機能する。
【００５２】
運動変換部５４は、図１０に示すように、外筒部５２のラックギア５２ｂに噛合するピニオンギア５４ａを備え、このピニオンギア５４ａに生じた回転力を複数の歯車機構で伝達して、第３の作動体５０の先端に設けられた出力部５４ｂに伝達するようになっている。出力部５４ｂは、ピニオンギア５４ａに連動して回転する部材であり、先端側に円盤部材５８を取り付けるための円盤取付部５４ｃを備える。円盤取付部５４ｃは、円盤部材５８の装着部５８ｂが軸方向に押し込まれることで、摩擦力によって円盤部材５８を保持するように形成されている。
【００５３】
なお、円盤部材５８は、プロペラ状の羽５８ａを備えており、回転により飛翔するものである。この円盤部材５８の回転中心部には、円盤取付部５４ｃに嵌合する装着部５８ｂが設けられている。円盤取付部５４ｃに円盤部材５８を取り付けた状態で出力部５４ｂが勢いよく回転すると、円盤部材５８が高速で回転して軸方向に推進力が発生し、この推進力によって円盤部材５８が円盤取付部５４ｃから離脱して飛翔するようになっている。
【００５４】
この第３の作動体５０は、図８〜１０に示すように、装置本体１１に装着して使用される。この第３の作動体５０を使用する場合、まず、ロック部材５１ｃによって第３の作動体５０を装置本体１１に固定する。そして、突起５２ｃを手前に引いて、フランジ部５３が係合部１８ｂに係合するまで外筒部５２を後方へと移動させる。外筒部５２が後方へ移動することで、パイプ１５の先端開口部１５ａがキャップ部５２ａによって塞がれるので、タンク１２内が閉塞した空間となる。次に、円盤部材５８を円盤取付部５４ｃに取り付ける。この状態でポンプ１４を使用してタンク１２に空気を送り込むと、タンク１２内の空気圧が高まり、キャップ部５２ａが空気圧で付勢された状態となる。この状態でトリガ部材１８を引き操作すると、図９に示すように、係合部１８ｂによる係止が解除され、空気圧によって外筒部５２が前方（先端開口部１５ａの開口方向）へと摺動する。外筒部５２が前方へ移動すると、ラックギア５２ｂがピニオンギア５４ａを回転させることで、外筒部５２の直進運動が回転運動に変換され、出力部５４ｂへ伝達される。出力部５４ｂが高速で回転すると、円盤取付部５４ｃに取り付けた円盤部材５８も高速で回転する。円盤部材５８が高速で回転すると、傾斜した羽５８ａによって軸方向への推進力が発生し、この推進力によって円盤部材５８が円盤取付部５４ｃから外れて前方へと発射される。
【００５５】
以上説明したように、本実施形態によれば、空気圧発生装置１０は、空気を貯留するタンク１２と、タンク１２を外部と導通させる棒状のパイプ１５，２６と、を備え、作動体３０，４０，５０の外筒部３１，４３，５２は、空気圧発生装置１０に装着したときにパイプ１５，２６の先端開口部１５ａ，２６ａを塞ぐキャップ部３１ａ，４３ａ，５２ａを備える。よって、作動体３０，４０，５０を空気圧発生装置１０に装着すると、キャップ部３１ａ，４３ａ，５２ａによってタンク１２内部が閉塞された状態となる。この状態でポンプ１４によってタンク１２に空気を送り込めば、タンク１２内の空気圧が高まる。また、空気圧発生装置１０は、作動体３０，４０，５０を係止するための係合部１８ｂ，２８ｂと、係合部１８ｂ，２８ｂの係止を解除するための操作部１８ｃ，２５と、を備える。よって、タンク１２内の空気圧を高めてキャップ部３１ａ，４３ａ，５２ａで空気圧を受けた状態で、操作部１８ｃ，２５を操作して係合部１８ｂ，２８ｂの係止を解除すれば、タンク１２内の空気圧によって外筒部３１，４３，５２が勢いよく押し出される。このような動きにより、例えば外筒部３１，４３，５２を模型飛行機の胴体とすれば、模型飛行機を発射して飛ばすことができる。しかも、外筒部３１，４３，５２にパイプ１５，２６を挿入しているので、パイプ１５，２６によって外筒部３１，４３，５２の移動が直線的に案内される。よって、まっすぐに外筒部３１，４３，５２を移動させることができる。例えば模型飛行機を発射する場合には、模型飛行機の発射方向を狙い易くすることができる。
【００５６】
また、トリガ部材１８に操作部１８ｃと係合部１８ｂとが一体的に形成されている。このような構成によれば、銃のような形態で空気作動玩具を作動させることができ、操作性を向上させることができる。例えば、銃で狙うように模型飛行機を発射させることも可能となるので、狙いを付けて発射し易くすることができる。
【００５７】
また、第３の作動体５０は外筒部５２の直進運動を回転運動に変換する運動変換部５４を備える。このような構成によれば、単に何かを発射するような動きだけではなく、空気圧によって何かを回転させることも可能となる。
【符号の説明】
【００５８】
１０  空気圧発生装置
１１  装置本体
１２  タンク
１３  グリップ部
１４  ポンプ
１４ａ  ポンプ本体
１４ｂ  ポンプ操作部
１５  パイプ
１５ａ  先端開口部
１８  トリガ部材
１８ａ  揺動軸
１８ｂ  係合部
１８ｃ  操作部
２０  延長装置
２１  取付部
２２  ホース
２３  延長装置本体
２４  ケース
２５  操作部
２６  パイプ
２６ａ  先端開口部
２７  伝達機構
２８  揺動部材
２８ａ  揺動軸
２８ｂ  係合部
３０  第１の作動体
３１  外筒部
３１ａ  キャップ部
３２  フランジ部（被係合部）
３３  先端部材
３４  翼部
４０  第２の作動体
４１  車体
４２  車輪
４３  外筒部
４３ａ  キャップ部
４４  フランジ部（被係合部）
５０  第３の作動体
５１  カバー体（ガイド部）
５１ａ  上カバー
５１ｂ  下カバー
５１ｃ  ロック部材
５１ｄ  スライド溝
５２  外筒部
５２ａ  キャップ部
５２ｂ  ラックギア
５２ｃ  突起
５３  フランジ部（被係合部）
５４  運動変換部
５４ａ  ピニオンギア
５４ｂ  出力部
５４ｃ  円盤取付部
５８  円盤部材
５８ａ  羽
５８ｂ  装着部
【図１】
0003204578.tif 000003
【図２】
0003204578.tif 000004
【図３】
0003204578.tif 000005
【図４】
0003204578.tif 000006
【図５】
0003204578.tif 000007
【図６】
0003204578.tif 000008
【図７】
0003204578.tif 000009
【図８】
0003204578.tif 000010
【図９】
0003204578.tif 000011
【図１０】
0003204578.tif 000012